(57)【要約】【課題】サッシに強固に固定され、物品を置く棚や洗濯物を干す物干し装置として用いても、サッシから容易に外れない物品支持装置を提供する。【解決手段】支持柱３は大径パイプ５に小径パイプ７が出入自在に挿入されたものでなり、その小径パイプ７の上端部には嵌め込み部１１が固定され、大径パイプ５の下端部には嵌め込み部４１が固定されている。サッシ８１に取付ける際には、嵌め込み部１１には上側のリブ８３が嵌め込まれ、押しネジ３５によって締め付けられ、嵌め込み部４１には下側のリブ８５が嵌め込まれ、押しネジ３５によって締め付けられる。上記のようにサッシ８１に強固に固定された一対の支持柱３の間に物品載置部６９、７０が渡設されている。【選択図】        図２
2011026773.tif 000002
【特許請求の範囲】
【請求項１】
伸縮自在な支持柱と、前記支持柱に備えられ、物品を支持する物品支持手段と、前記支持柱の両端部に備えられ、サッシの凸条部が嵌り込む一対の側片を有する支持柱設置手段とを備えることを特徴とする物品支持装置。
【請求項２】
請求項１に記載した物品支持装置において、
支持柱設置手段は、一方の側片に形成された雌ネジ孔と、前記雌ネジ孔に螺入する押しネジを有し、前記押しネジを螺入し、その先端を凸状部に押圧させることにより、支持柱を位置固定した状態で設置することを特徴とする物品支持装置。
【請求項３】
請求項１に記載した物品支持装置において、
支持柱設置手段は、一対の側片間に回転可能に軸支されたローラーを有し、前記ローラーを凸条部に対して走行自在に当接させることにより、支持柱を横方向に移動自在に設置することを特徴とする物品支持装置。
【請求項４】
請求項３に記載した物品支持装置において、
ローラーは凸条部側に向かって弾性的に付勢されていることを特徴とする物品支持装置。
【請求項５】
請求項１から４のいずれかに記載した物品支持装置において、
物品を載せる棚であることを特徴とする物品支持装置。
【請求項６】
請求項１から４のいずれかに記載した物品支持装置において、
物干し装置であることを特徴とする物品支持装置。
【請求項７】
請求項６に記載した物品支持装置において、
物品支持手段は、支持柱の外周面から外方に突出した一対の棒状部と、両端側にＵ字状折曲げ部を有し、一方のＵ字状折曲げ部は他方のＵ字状折曲げ部に向かって折り返され、他方のＵ字状折曲げ部は前記折返し部分と並列対向するよう斜めに折り起こされてなる環状のアームから構成され、
前記アームは、一方のＵ字状折曲げ部で支持柱を下側から抱きかかえ、各折返し部分の間に棒状部を挿通させて水平方向に張り出せた姿勢と、前記棒状部に前記折起し部分を掛け止めさせた状態で前記支持柱に沿って畳んだ姿勢とに動作変更が可能であることを特徴とする物品支持装置。
【請求項８】
請求項７に記載した物品支持装置において、
一対の棒状部は支持柱に対して回動自在に外嵌された連結管の外周面に設けられており、アームは支持柱に対して回動自在になっていることを特徴とする物品支持装置。
【発明の詳細な説明】
【技術分野】
【０００１】
本発明は物品を載せる棚や物干し装置として使用できる物品支持装置に係り、特に建物の窓枠のサッシに設置するタイプの物品支持装置に関するものである。
【背景技術】
【０００２】
建物の窓枠に取り付ける棚としては、特許文献１に記載されたものがある。この特許文献１に記載された棚は、一対の支持部材を窓枠の上下面間に差し入れ上下方向に伸ばして、当該上下面に圧接させて固定している。そして、一対の支持部材間に横架された棚部に物品を載せて使用するようになっている。
【０００３】
また、建物の窓枠に取り付ける物干しとしては、特許文献２に記載されたものがある。この特許文献２に記載された物干しも、支柱を窓枠の上下面間に差し入れ上下方向に伸ばして、当該上下面に圧接させて固定している。そして、支柱に固定された支持アームにハンガーを掛けて使用するようになっている。
【先行技術文献】
【特許文献】
【０００４】
【特許文献１】特開平７−２９８９３３号公報
【特許文献２】特開２００６−１１６１１７号公報
【発明の概要】
【発明が解決しようとする課題】
【０００５】
上述したように、従来のものは、窓枠の上下面に支持部材や支柱を圧入させて固定するだけである。そのため、物品を載せる棚や物干し装置として使用したときに、物品や洗濯物が少しでも重かったりすると倒れて窓枠から外れてしまっていた。
本発明は上記従来の問題点に着目して為されたものであり、窓枠から外れ難い物品支持装置を提供することを、その目的とする。
【課題を解決するための手段】
【０００６】
本発明は上記課題を解決するためになされたものであり、請求項１の発明は、伸縮自在な支持柱と、前記支持柱に備えられ、物品を支持する物品支持手段と、前記支持柱の両端部に備えられ、サッシの凸条部が嵌り込む一対の側片を有する支持柱設置手段とを備えることを特徴とする物品支持装置である。
【０００７】
請求項２の発明は、請求項１に記載した物品支持装置において、支持柱設置手段は、一方の側片に形成された雌ネジ孔と、前記雌ネジ孔に螺入する押しネジを有し、前記押しネジを螺入し、その先端を凸状部に押圧させることにより、支持柱を位置固定した状態で設置することを特徴とする物品支持装置である。
【０００８】
請求項３の発明は、請求項１に記載した物品支持装置において、支持柱設置手段は、一対の側片間に回転可能に軸支されたローラーを有し、前記ローラーを凸条部に対して走行自在に当接させることにより、支持柱を横方向に移動自在に設置することを特徴とする物品支持装置である。
【０００９】
請求項４の発明は、請求項３に記載した物品支持装置において、ローラーは凸条部側に向かって弾性的に付勢されていることを特徴とする物品支持装置である。
【００１０】
請求項５の発明は、請求項１から４のいずれかに記載した物品支持装置において、物品を載せる棚であることを特徴とする物品支持装置である。
【００１１】
請求項６の発明は、請求項１から４のいずれかに記載した物品支持装置において、物干し装置であることを特徴とする物品支持装置である。
【００１２】
請求項７の発明は、請求項６に記載した物品支持装置において、物品支持手段は、支持柱の外周面から外方に突出した一対の棒状部と、両端側にＵ字状折曲げ部を有し、一方のＵ字状折曲げ部は他方のＵ字状折曲げ部に向かって折り返され、他方のＵ字状折曲げ部は前記折返し部分と並列対向するよう斜めに折り起こされてなる環状のアームから構成され、前記アームは、一方のＵ字状折曲げ部で支持柱を下側から抱きかかえ、各折返し部分の間に棒状部を挿通させて水平方向に張り出せた姿勢と、前記棒状部に前記折起し部分を掛け止めさせた状態で前記支持柱に沿って畳んだ姿勢とに動作変更が可能であることを特徴とする物品支持装置である。
【００１３】
請求項８の発明は、請求項７に記載した物品支持装置において、一対の棒状部は支持柱に対して回動自在に外嵌された連結管の外周面に設けられており、アームは支持柱に対して回動自在になっていることを特徴とする物品支持装置である。
【発明の効果】
【００１４】
本発明の物品支持装置によれば、物品を載せる棚や物干し装置として使用するときに、少々重い物品を載せたり洗濯物を掛けたりしても窓枠から外れ難くなっている。
【図面の簡単な説明】
【００１５】
【図１】本発明の実施の形態１に係る棚の斜視図である。
【図２】図１の棚のＡ−Ａ断面図である。
【図３】図１の一部拡大斜視図である。
【図４】本発明の実施の形態２に係る物品支持装置としての物干し装置の斜視図である。
【図５】図４の物干し装置の上端部分と下端部分の拡大図である。
【図６】図５の物干し装置のＢ−Ｂ断面図である。
【図７】アームの姿勢変更を説明するための図である。
【発明を実施するための形態】
【００１６】
本発明の実施の形態１に係る物品支持装置としての棚１を図１から図３にしたがって説明する。
先ず、棚１の構成について説明する。
符号３は上下に延びる支持柱を示し、支持柱３は間隔をおいて一対設けられている。支持柱３は大径パイプ５と小径パイプ７とによって構成されており、小径パイプ７は大径パイプ５に出し入れ自在に挿入されている。従って、支持柱３は上下方向に伸縮自在となっている。
大径パイプ５と小径パイプ７の連結機構については後述する。
【００１７】
支持柱３の上側部をなす小径パイプ７の上端部に備えられる嵌め込み部１１について説明する。
この嵌め込み部１１は第一プレート１３と第二プレート１５とによって構成されている（図２参照）。
第一プレート１３は断面Ｌ字状をなし、水平片２１と、この水平片２１の一端から上方に延びる垂直片２３とから成っている。垂直片２３には一対の雌ネジ孔２４が間隔をあけて形成されている。水平片２１には穴３３が形成されている。第二プレート１５は断面Ｌ字状をなし、水平片２５と、この水平片２５の一端から上方に延びる垂直片２７とから成っている。水平片２５には穴３３と同径の穴３４が形成されている。第一プレート１３と第二プレート１５は、水平片２１と水平片２５の先端が一致するように上下に重ね合わされており、そのとき穴３３、３４は一致している。その穴３３、３４に小径パイプ７が下側から嵌込んで固定されている。
【００１８】
上記固定状態では、第一プレート１３の垂直片２３と第二プレート１５の垂直片２７、即ち一対の側片の間に空間部３１が形成されている。
符号３５は押しネジを示し、この押しネジ３５はその先端部に弾性部材３７を備えている。各押しネジ３５は前述した一対の雌ネジ孔２４に螺入される。
この実施の形態では、上側の支持柱設置手段は、嵌め込み部１１と押しネジ３５によって構成されている。
【００１９】
支持柱３の下側部をなす大径パイプ５に取り付けられる嵌め込み部４１について説明する。
この嵌め込み部４１は、前述した嵌め込み部１１と同じ構成部分を有しているので、嵌め込み部１１と同じ構成部分には同じ符号を付すことで説明を省略する。嵌め込み部４１は、第一プレート１３の水平片２１に形成される穴４３と第二プレート１５の水平片２５に形成される穴４４が、穴３３、３４より大きくなっている点が異なっている。
また、嵌め込み部１１は空間部３１が上方に向かって開いているのに対して、この嵌め込み部４１は空間部３１が下方に向かって開いている。
この実施の形態では、下側の支持柱設置手段は、嵌め込み部４１と押しネジ３５によって構成されている。
【００２０】
次に、大径パイプ５と小径パイプ７の連結機構について説明する。
図３の拡大図に示すように、大径パイプ５の上端側には連結部５１が固定されており、この連結部５１の主部５３は上下に延びる略円筒状を為している。この主部５３には上端に開口した縦スリット５５と横スリット５７とでなるＴ字状スリット部が形成されている。
主部５３の外周面には縦スリット５５を挟んで一対の凸部５９、６１が形成されている。凸部５９には雌ネジ孔６３が形成されており、凸部６１には、雌ネジ孔６３に対向して貫通孔６５が形成されている。
符号６７はネジを示し、このネジ６７は貫通孔６５側から挿通され、さらに雌ネジ孔６３に螺入されている。
主部５３の下部は大径パイプ５に外嵌されて固定されており、横スリット５７から大径パイプ５の上端が見えている。
【００２１】
一対の大径パイプ５に２つの物品載置部６９、７０が支持されており、これらの物品載置部６９、７０は上下に間隔をあけて配置されている。上側の物品載置部６９と下側の物品載置部７０とは同じ構成を有しているので、代表例として上側の物品載置部６９について説明し、下側の物品載置部７０の同じ構成部分について同じ符号を付すことで説明を省略する。
物品載置部６９は室内側に向かって互いに平行に延びる一対の支持レール７１と、複数の金属パイプが組み合わされて成る棚板７３とから成っている。各支持レール７１の基端部は大径パイプ５に固定されている。そして、一対の支持レール７１に棚板７３の両端部が嵌め込まれて、前後方向にスライド自在に支持されている。
この実施の形態では、物品支持手段は２つの物品載置部６９、７０によって構成されている。
【００２２】
符号８１は窓枠に設けられたサッシを示し、このサッシ８１には上側レール８７に沿って室内側に上側リブ８３が設けられ、下側レール８９に沿って室内側に下側リブ８５が設けられている。リブ８３、８５は室内に水分の侵入を防止するためのものである。この実施の形態では、リブ８３、８５を凸条部として利用している
【００２３】
次に、棚１の取付方法について説明する。
各支持柱３の小径パイプ７を大径パイプ５に対して伸縮自在にしておき、一対の支持柱３、３をサッシ８１の中に差し入れる。そして、各支持柱３について取り付け作業を行う。
先ず、下側の嵌め込み部４１の垂直片２３と垂直片２７の間に下側リブ８５を嵌り込ませる。次に、片方の手で小径パイプ７を持ち上げて、上側の嵌め込み部１１の垂直片２３と垂直片２７で上側リブ８３を嵌り込ませ、もう片方の手で連結部５１のネジ６７を締める。ネジ６７を締めると主部５３の上部が縮径して小径パイプ７を押圧するので、小径パイプ７は大径パイプ５に対して移動不能に固定される。その後、下側の嵌め込み部４１では押しネジ３５を締めて、下側リブ８５を垂直片２７側に押圧させることで嵌め込み部４１を下側リブ８５に対して移動不能に固定すると共に、上側の嵌め込み部１１でも押しネジ３５を締めて、上側リブ８３を垂直片２７側に押圧させることで嵌め込み部１１を上側リブ８３に対して移動不能に固定する。上記の一連の作業で取付けが終了する。
上記の取付けにより、押しネジ３５がリブ８３、８５に直接当接して押圧した状態となるが、押しネジ３５の先端部には弾性部材３７が備えられているので、リブ８３、８５に痕は残らない。
【００２４】
その次に、棚１の使用方法について説明する。
棚板７３を前方向にスライドさせて支持レール７１から適当な位置まで張り出させる。そして、棚板７３の上に、例えばフライパンや鍋等の物品を載せる。
【００２５】
この棚１では、前述したように各支持柱３は上下端側の嵌め込み部１１、４１を介してリブ８３、リブ８５に強固に固定されているので、多少重い物品が物品載置部６９、７０に載せられても、十分に耐えられ、サッシ８１から外れてしまうようなことはない。
【００２６】
実施の形態２に係る物品支持装置としての物干し装置１０１を図４から図７にしたがって説明する。
先ず、物干し装置１０１の構成について説明する。
符号１０３は上下に延びる支持柱を示し、この支持柱１０３は大径パイプ１０５と小径パイプ１０７とによって構成されており、小径パイプ１０７は大径パイプ１０５に出入自在に挿入されている。従って、支持柱１０３は上下方向に伸縮自在となっている。
大径パイプ１０５と小径パイプ１０７の連結機構については後述する。
【００２７】
支持柱１０３の上側部をなす小径パイプ１０７の上端部に備えられる嵌め込み部１０９について説明する。
小径パイプ１０７の上端部にはケース部１１３が固定されており、このケース部１１３は上側が開口している。ケース部１１３の両側板１１３ｂには、それぞれ上下に延びる２つの長穴１１４が間隔をおいて形成されている。
【００２８】
ケース部１１３には、断面が略コ字状を為すホルダー１１５が上方に向かって開口した状態で、互いに間隔をあけて２つ収容されている。
各ホルダー１１５の対向する両側板１１５ｂ、１１５ｂを軸１２５が貫通し固定されており、両側板１１５ｂ、１１５ｂの間の凹部１１６内で、その軸１２５にローラー１２１が回転自在に支持されている。ローラー１２１は中心部１２７が小径で両端部が大径になっており、その間はテーパー状になっており、両端部に向かうに従って拡径している。軸１２５のうち、両側板１１５ｂから突出した部分はそれぞれケース部１１３の側板１１３ｂに形成された長穴１１４に挿通されている。従って、軸１２５は長穴１１４の中で上下動可能となっている。符号１２９は弾性体としてのバネを示し、このバネ１２９はホルダー１１５の底板１１５ａとケース部１１３の底板１１３ａとの間に配設されている。このバネ１２９によってホルダー１１５は常時上方向に付勢されている。
【００２９】
支持柱１０３の下側部をなす大径パイプ１０５の下端部にも、嵌め込み部１０９と同様な構成の嵌め込み部１３１が備えられており、同じ構成部分には同じ符号を付して説明を省略する。嵌め込み部１３１のケース部１１３には長穴は形成されておらず、軸１２５が挿通固定されており、また、バネはケース部１１３とホルダー１１５の間に配設されていない点が、異なっている。
この嵌め込み部１３１は、ケース部１１３やホルダー１１５が下方に向かって開口するよう取り付けられている。この実施の形態では、支持柱設置手段が嵌め込み部１０９、１３１によって構成されており、ホルダー１１５の側板１１５ｂ、１１５ｂが一対の側片になっている。
【００３０】
次に、大径パイプ１０５と小径パイプ１０７の連結機構について説明する。
大径パイプ１０５の上端側には図示しない雌ネジ孔が形成されており、この雌ネジ孔には押しネジ１４９が螺合されている。
【００３１】
大径パイプ１０５には上下方向に間隔をおいて２つの支持具１５１が備えられている。支持具１５１の固定管１５３が大径パイプ１０５に嵌合固定されており、その固定管１５３の上端面上に連結管１５５が大径パイプ１０５に遊嵌されている。連結管１５５の外周面には、棒状部１５７が２本対向して取り付けられている。２本の棒状部１５７は連結管１５５の一つの直径の延長上にあり、外方に向かって突出している。
上記した構成により、棒状部１５７、１５７は連結管１５５と一体となって大径パイプ１０５に対して回動自在になっている。
【００３２】
符号１６１はアームを示し、このアーム１６１は環状の金属製ワイヤーによって構成されている。アーム１６１は直線状に平行に延びる２つの直線部の両端側がＵ字状折曲げ部１６２、１６４になっている。Ｕ字状折曲げ部１６２はＵ字状折曲げ部１６４側に向かって折り返されて２つの折返し部分１６３が形成されている。他方のＵ字状折曲げ部１６４は上記した折返し部分１６３と並列対向するように斜めに折り起こされて２つの折起こし部分１６５が形成されている。
この実施の形態では、物品支持手段は連結管１５５と２本の棒状部１５７とアーム１６１によって構成されている。
【００３３】
符号１８１は窓に設けられたサッシを示し、このサッシ１８１は実施の形態１で説明したサッシ８１より一回り大きいサイズになっているが、レールやリブの断面形状は同じなので、サッシ８１のレールやリブと同じ符号を付すことで説明を省略する。この実施の形態では、レール８７、８９を凸条部として利用している。
【００３４】
次に、物干し装置１０１の取付方法について説明する。
各支持柱１０３の小径パイプ１０７を大径パイプ１０５に対して移動自在にしておき、支持柱１０３をサッシ１８１の中に差し入れる。そして、支持柱１０３の取り付け作業を行う。
先ず、下側の嵌め込み部１３１のホルダー１１５の一対側板１１５ｂの間に下側レール８９を嵌り込ませる。その際、下側レール８９の頂部にローラー１２１の中心部１２７を当接させる。次に、片方の手で小径パイプ１０７を持ち上げて、上側の嵌め込み部１０９も同様に上側レール８７を嵌り込ませ、もう片方の手で押しネジ１４９を螺進させて小径パイプ１０７を押圧させる。これにより、小径パイプ１０７は大径パイプ１０５に対して移動不能に固定される。
上記の一連の作業で取付けが終了する。
【００３５】
上記の取付けにより、下側のホルダー１１５に下側レール８９が一部嵌まり込んだ状態で、ローラー１２１の中心部１２７が下側レール８９の頂部に当接しており、ローラー１２１が下側レール８９に沿って走行自在になっている。また、上側のホルダー１１５に上側レール８７が一部嵌まり込んだ状態で、ローラー１２１の中心部１２７が上側レール８７の頂部に当接しており、ローラー１２１が上側レール８７に沿って走行自在になっている。従って、支持柱１０３は横方向に移動可能になっている。但し、下側のローラー１２１は自重によって下側レール８９を押圧し、上側のローラー１２１はバネ１２９によって上方向に付勢されているので、横方向に移動させようとする力が働かない限り、走行せずにその位置に止まる。
【００３６】
次いで、物干し装置１０１の使用方法について説明する。
図４に示すように、アーム１６１を前方に水平に張り出させる。その場合には、Ｕ字状折曲げ部１６２が支持柱１０３と共に連結管１５５を抱きかかえ、その上側では、それぞれの折返し部分１６３、１６３の間に棒状部１５７、１５７が挿通された状態となる。従って、アーム１６１は下がる方向には回動せず、水平姿勢で安定的に支持される。そのアーム１６１に、シャツＳが吊り下げられたハンガーＨを掛ける。
また、前述したようにアーム１６１は大径パイプ１０５を中心として回動自在に支持されているため、窓を開けて、アーム１６１を図４の実線の示す状態から、仮想線で示す状態に回動させることができる。このように、洗濯物を外に出して干すことも可能である。
【００３７】
この物干し装置１０１では、前述したように支持柱１０３は上下端側の嵌め込み部１０９、１３１を介してレール８７、８９に強固に固定されているので、比較的重い洗濯物がアーム１６１に吊下げられても、十分に耐えられ、サッシ１８１から外れてしまうようなことはない。
【００３８】
アーム１６１にハンガーＨを掛けない場合には、アーム１６１を図７の線状の矢印に示すように反時計回りの方向に回動させて仮想線の示す垂直姿勢にさせた後下降させる。アーム１６１のＵ字状折曲げ部１６４の折起こし部分１６５、１６５が棒状部１５７、１５７にそれぞれ掛け止めされるので、アーム１６１が大径パイプ１０５に沿う姿勢に畳まれて保持される。従って、アーム１６１が邪魔にならない。
アーム１６１を再び水平方向に張り出す姿勢にするには、アーム１６１を上昇させて、時計回りの方向に回動させる。
【００３９】
以上、本発明の実施の形態について詳述してきたが、具体的構成は、この実施の形態に限られるものではなく、本発明の要旨を逸脱しない範囲における設計の変更などがあっても発明に含まれる。
【産業上の利用可能性】
【００４０】
本発明は物品を載せる棚や物干し装置等の物品支持装置の製造業に利用可能である。
【符号の説明】
【００４１】
１…棚      ３…支持柱      ５…大径パイプ
７…小径パイプ
１１…嵌め込み部      １３…第一プレート      １５…第二プレート
２１…水平片      ２３…垂直片      ２４…雌ネジ孔
２５…水平片      ２７…垂直片      ３１…空間部
３３、３４…穴
３５…押しネジ      ３７…弾性部材      ４１…嵌め込み部
４３、４４…穴
５１…連結部      ５３…主部      ５５…縦スリット
５７…横スリット      ５９、６１…凸部
６３…雌ネジ孔      ６５…貫通孔      ６７…ネジ
６９、７０…物品載置部      ７１…支持レール      ７３…棚板
８１…サッシ      ８３…上側リブ      ８５…下側リブ
８７…上側レール      ８９…下側レール
１０１…物干し装置      １０３…支持柱      １０５…大径パイプ
１０７…小径パイプ
１０９…嵌め込み部      １１３…ケース部      １１３ａ…底板
１１３ｂ…側板      １１４…長穴      １１５…ホルダー
１１５ａ…底板      １１５ｂ…側板      １１６…凹部
１２１…ローラー      １２５…軸
１２７…中心部      １２９…バネ      １３１…嵌め込み部
１４９…押しネジ
１５１…支持具      １５３…固定管      １５５…連結管
１５７…棒状部      １６１…アーム      １６２、１６４…Ｕ字状折曲げ部
１６３…折返し部分      １６５…折起こし部分
１８１…サッシ
Ｓ…シャツ      Ｈ…ハンガー
【図１】
2011026773.tif 000003
【図２】
2011026773.tif 000004
【図３】
2011026773.tif 000005
【図４】
2011026773.tif 000006
【図５】
2011026773.tif 000007
【図６】
2011026773.tif 000008
【図７】
2011026773.tif 000009